(57)【要約】      （修正有）【課題】  巻取軸にシャッターを巻付けて構成したシャッター体の収納ボックスに対する収脱操作を簡単に行え、従って、保守点検を簡単、確実に行える横引シャッターを提供する。【解決手段】  建屋側壁板２ａの前記開口部ａ側の一端に前記開口部ａとの仕切り壁板２ｂを屋外方向に突設して縦枠２を構成する。縦枠２を蓋盤３と底盤４との間に介在させて構成した収納ボックス本体５と、該ボックス本体５に着脱自在に取付けて前記縦枠２、蓋盤３および底盤４で取り囲んで成る収納口ｂを閉塞する閉塞枠５とで前記収納ボックスＢを構成する。該収納ボックスＢに、上下の基盤７，８に回動自在に支持させた巻取軸９にシャッター１を巻回して成るシャッター体Ｓを、前記収脱口ｂを通じて収脱自在に収納すると共に、該シャッター体Ｓの前記シャッター１の先端を前記閉塞枠６と前記仕切り壁板２ｂとの間を通じて前記開口部ａに導出する。【選択図】図２
2006144372.tif 000002
【特許請求の範囲】
【請求項１】
シャッター枠の見付け方向の一側に収納ボックスを備え、該収納ボックスに前記シャッター枠の開口部を開閉するシャッターを巻取る巻取り軸を収容した横引シャッターにおいて、建屋側壁板の前記開口部側の一端に前記開口部との仕切り壁板を屋外方向に突設して縦枠を構成し、該縦枠を蓋盤と底盤との間に介在させて構成した収納ボックス本体と、該ボックス本体に着脱自在に取付けて前記縦枠、蓋盤および底盤で取り囲んで成る収納口を閉塞する閉塞枠とで前記収納ボックスを構成し、該収納ボックスに、上下の基盤に回動自在に支持させた巻取軸にシャッターを巻回して成るシャッター体を、前記収脱口を通じて収脱自在に収納すると共に、該シャッター体の前記シャッターの先端を前記閉塞枠と前記仕切り壁板との間を通じて前記開口部に導出した、横引シャッター。
【発明の詳細な説明】
【技術分野】
【０００１】
本発明は、引違いサッシなどのサッシ屋外側に防犯目的に設置する横引シャッターに関するものである。
【背景技術】
【０００２】
引違いサッシの窓枠の見付け方向の延長上に前記窓枠の上枠と下枠から延長する上下の延長枠を一体的に設けてシャッター収納部とし、該シャッター収納部にシャッター閉塞時に前記シャッターを外部に露出した状態で収納するようにした構造のものがある（例えば、特許文献１）。
【０００３】
【特許文献１】特開平８−１３５３３６号公報
【発明の開示】
【発明が解決しようとする課題】
【０００４】
前記従来例は、収納ボックスからのシャッターの収脱操作を行えない構造になっており、従って、保守点検や故障に際してのシャッターの取替作業が煩雑である。
【０００５】
本発明は、保守点検上好適で、シャッターの取替を簡単に行える横引シャッターを提供すべく創案したものである。
【課題を解決するための手段】
【０００６】
シャッター枠の見付け方向の一側に収納ボックスを備え、該収納ボックスに前記シャッター枠の開口部を開閉するシャッターを巻取る巻取り軸を収容した横引シャッターにおいて、建屋側壁板の前記開口部側の一端に前記開口部との仕切り壁板を屋外方向に突設して縦枠を構成し、該縦枠を蓋盤と底盤との間に介在させて構成した収納ボックス本体と、該ボックス本体に着脱自在に取付けて前記縦枠、蓋盤および底盤で取り囲んで成る収脱口を閉塞する閉塞枠とで前記収納ボックスを構成し、該収納ボックスに、上下の基盤に回動自在に支持させた巻取軸にシャッターを巻回して成るシャッター体を、前記収納口を通じて収脱自在に収納すると共に、該シャッター体の前記シャッターの先端を前記閉塞枠と前記仕切り壁板との間を通じて前記開口部に導出した構成としたものである。
【発明の効果】
【０００７】
本発明によれば、収納ボックス本体から閉塞枠を取り外すことにより収納口が開放されるから、該収脱口を通じてボックス本体（収納ボックス）にシャッター体の収脱操作を簡単に行うことができ、シャッター体をいわばカセット的に扱って、シャッターの保守点検或いは取替えを簡単に行え、従来にない斬新な構造の横引シャッターを提供することができる。
【実施例】
【０００８】
図面は本発明に係る横引シャッターの一実施例を示し、図１は正面図、図２は要部の横断面図、図３は要部の縦断面図、図４はシャッター体を取り外した状態の要部の横断面図である。
【０００９】
実施例の横引シャッターは、シャッター枠Ａの両側に備えた収納ボックスＢにシャッター体Ｓを納め、該シャッター体Ｓの前記収納ボックスＢより導出したシャッター１を前記シャッター枠Ａの見付け方向の中央において召合わせてシャッター枠Ａで構成する開口部ａを閉塞するようにしたものである。
【００１０】
収納ボックスＢは、建屋側壁板２ａの前記開口部ａ側の一端に該開口部ａとの仕切り壁板２ｂを屋外方向に突設して構成した縦枠２を、蓋盤３と底盤４との間に介在させて構成した収納ボックス本体５を前記縦枠２の建屋側壁板２ａにおいて建屋Ｈに止着し、該収納ボックス本体５に閉塞枠６を着脱自在に取付けて、収納ボックス本体５の前記各材２，３，４で取り囲んで構成する収脱口ｂを閉塞して構成したもので、この収納ボックスＢには前記収脱口ｂを通じて前記シャッター体Ｓを、収脱自在に収納してある。
【００１１】
シャッター体Ｓは、一部を円形（巻取軸９を中心とする）にした上基盤７と下基盤８との間に巻取軸９を介在させてこれらに回動自在に支持させ、上基盤７又は下基盤８と巻取軸９との間に配装した図示省略のゼンマイ装置によってシャッター１を巻取る方向に回動付勢させた該巻取軸９に前記シャッター１を巻回して構成し、上、下基盤７，８の円形状の周縁部７ａ，８ａが前記本体５を構成する蓋盤３にあっては吊設し、また、底盤４にあっては立設した、部分的に円形の案内壁１１に摺接するように、前記収脱口ｂを通じて前記収納ボックス本体５に納め、ビス１２で基盤３と底盤４にそれぞれ着脱自在に止着した定置片１３によってボックス本体５内で定位置状態を確保するようにしたものである。
【００１２】
また、このシャッター体Ｓは、上下基盤７，８の円形周縁部７ａ，８ａに設けた第１係止部１４が前記蓋盤３又は底盤４に設けた第一受部１５に係止して、巻取軸９のシャッター１の巻取りに伴う巻取り方向の上下基盤７，８の回動を規制して当該巻取り操作を円滑に行うようにしてあり、さらに、上下基盤７，８の非円形の周縁部で構成する第二係止部１６が蓋盤３又は底盤４の前記案内壁１１の延長部で構成する第二受支部１７に係止して巻取軸９からのシャッター１の引き出しに追従した上下基盤８，９の回動を規制して巻取軸９のみが回動するようにして当該引出し操作が円滑に行われるようにしてある。
【００１３】
前記閉塞枠６は、前記ボックス本体５の縦枠２の建屋側壁板２ａの前記仕切り壁板２ｂに相対して連設した部片２ａ´の受止部に一端部６ａを係止し、他の一端６ｂ側の上下部を、前記蓋盤３と底盤４に突設した取付部片１８にビス１９で止着して前記収脱口ｂを閉塞したもので、この他の一端６ｂ部と前記仕切り壁板２ｂの屋外端２ｂ´との間でシャッター１の収納ボックスＡからの導出口２０が形成される。
【００１４】
なお、図示２１は、閉塞枠６の前記他の一端６ｂ部に取付けたアタッチ材で、アタッチ材２１は、閉塞枠６を収納ボックス本体５に組付けた後、該閉塞枠６に取付けて、シャッター閉塞時におけるシャッター先端の屋外端を隠すもので、シャッター閉塞時における外観的見栄えを良好にしたものである（図２）。
【００１５】
実施例のシャッター１は、シャッター枠Ａに組付けたシャッター体Ｓから開口部ａに導出したシャッター１の先端のスラットの屋内側面に框体２７を取付け、該框体２７をシャッター１の把手材として用いるようにしたものである。
【００１６】
しかして、シャッター枠Ａの一部を構成する縦枠２に蓋盤３を底盤４をタッピングねじ２２を用いて取付けて構成した収納ボックス本体５をねじ杆２３を用いて建屋Ｈに取付けた後、シャッター１の先端を開口部ａ内に配設しつつシャッター体Ｓを収脱口ｂを通じてボックス本体５に係合し、次いで、閉塞枠６を収納ボックス本体５に組付けて収脱口ｂを閉塞することによって実施例のシャッターを得るのである。
【００１７】
なお、実施例は、収納ボックスＢはシャッター枠Ａの両側に配し、従って、シャッター閉塞時には両側の収納ボックスＢ，Ｂからのシャッター先端が互いに突き合うようにしているが、シャッター枠の一側にのみ収納ボックスを配する横引シャッターに本発明を適用しても不都合はない。
【図面の簡単な説明】
【００１８】
【図１】正面図。
【図２】要部の横断面図。
【図３】要部の縦断面図。
【図４】シャッター体を取り外した状態の要部の横断面図。
【符号の説明】
【００１９】
１          シャッター
２          縦枠
２ａ        建屋側壁板
２ｂ        仕切り壁板
３          蓋盤
４          底盤
５          ボックス本体
６          閉塞枠
７          上基盤
８          下基盤
９          巻取軸
Ａ          シャッター枠
Ｂ          収納ボックス
Ｓ          シャッター体
ａ          開口部
ｂ          収脱口
【図１】
2006144372.tif 000003
【図２】
2006144372.tif 000004
【図３】
2006144372.tif 000005
【図４】
2006144372.tif 000006